(57)【要約】
【課題】　直列ユニットを壁に設置するために用いる壁面設置用部材の多様性を高くする。
【解決手段】　導電性のシールドケースに、中心導体及び前記中心導体と同心的に設けられた外部導体を有する同軸ケーブル接続端子を複数個設けた直列ユニットと、前記直列ユニットを壁に設置するための壁面設置用部材からなり、前記同軸ケーブル接続端子は、壁に設置したときに前記壁から突出する受信機接続端子と前記壁の内部空間に位置する入出力端子からなる壁面設置用部材付き直列ユニットであって、前記直列ユニットは、前記受信機接続端子が設けられた面の端部側が開口し、前記受信機接続端子が設けられた面に沿った空間を有する開口部が、前記受信機接続端子の同心軸方向に沿って２段以上設けられており、前記壁面設置用部材は、前記直列ユニットの開口部に挿入する挿入部を有する。
【選択図】　　　　図３
0003099572.tif 000002
【実用新案登録請求の範囲】
【請求項１】
　導電性のシールドケースに、中心導体及び前記中心導体と同心的に設けられた外部導体を有する同軸ケーブル接続端子を複数個設けた直列ユニットと、前記直列ユニットを壁に設置するための壁面設置用部材からなり、前記同軸ケーブル接続端子は、壁に設置したときに前記壁から突出する受信機接続端子と前記壁の内部空間に位置する入出力端子からなる壁面設置用部材付き直列ユニットであって、
　前記直列ユニットは、前記受信機接続端子が設けられた面の端部側が開口し、前記受信機接続端子が設けられた面に沿った空間を有する開口部が、前記受信機接続端子の同心軸方向に沿って２段以上設けられており、
　前記壁面設置用部材は、前記直列ユニットの開口部に挿入する挿入部を有することを特徴とする直列ユニット。
【考案の詳細な説明】
【技術分野】
【０００１】
　本考案は、直列ユニットに関し、特に、室内の壁面等に設置して室内に設置した受信機と室外のアンテナ等を接続する直列ユニットに適用して有効な技術に関するものである。
【背景技術】
【０００２】
　従来、テレビ受像器等の室内に設置した受信機を、室外に設置したアンテナや送信線に接続するために直列ユニットを用いる。
【０００３】
　前記直列ユニットは、通常、室内の壁面、もしくは室内の壁面に取り付けた箱状の部材（以下、アウトレットボックスと称する）に取り付けて使用する。そのため、前記直列ユニットには、壁に取り付けたときに室内に突出する同軸ケーブル端子（受信機接続端子）と、壁の内部空間あるいは設置した面の裏面側に位置する同軸ケーブル端子（入出力端子）が設けられている。
【０００４】
　前記直列ユニットを前記壁に取り付けるときには、例えば、図１７乃至図１９に示すように、前記受信機接続端子１０２ａ，１０２ｂが設けられた第１の面１Ａ側から壁面設置用部材７を取り付け、前記壁面設置用部材７を前記壁３に取り付け、固定する。また、図示は省略するが、前記壁面設置用部材７を用いて壁３に固定する前に、前記壁３の内部空間３Ａに敷設された同軸ケーブルを壁の開口部３Ｂから引き出して前記入出力端子１０３ａ，１０３ｂに接続しておく。また、前記受信機接続端子１０２ａ，１０２ｂが設けられた面１Ａには、図１８及び図１９に示したように、前記受信機接続端子１０２ａ，１０２ｂの保護を目的とした化粧パネル８を取り付ける。
【０００５】
　このとき、前記壁面設置用部材７を用いて前記直列ユニット１を壁３に設置しただけでは、図１７に示したように、壁の開口部３Ｂが露出した状態であり、室内の埃や水分が壁の内部空間３Ａに進入しやすい。前記埃や水分が壁の内部空間３Ａに進入すると、同軸ケーブルの接続部のショート、あるいはシールドケース１０１や同軸ケーブルの腐食，劣化が起こりやすくなる。そのため、前記直列ユニット１を壁３に設置する場合、図２０に示すように、設置部分に化粧プレート５（５ａ，５ｂ）を被せて、壁の開口部から埃や水分が進入するのを防ぐ。また、前記化粧パネル８や前記化粧プレート５には、前記壁の開口部や直列ユニットを覆い、外観を美化するという目的もある。
【０００６】
　前記化粧プレート５には、従来、大きく分けて、標準型とワイド型の２種類の規格がある。標準型化粧パネルとワイド型化粧パネルの主な違いは、図２０に示すように、壁３からの突出量Ｔ１であり、標準型の化粧パネルは突出量Ｔ１が約８mm、ワイド型は約１０mmである。そのため、前記壁面設置用部材７は、図１９に示したように、前記直列ユニット１を壁３に設置したときの、壁３から前記化粧パネル８の先端面８Ａまで距離Ｄ２が８mmあるいは１０mmになるように設計されている。
【０００７】
　しかしながら、前記従来の壁面設置用部材７は、直列ユニット１に取り付けたときに、前記壁３から前記化粧パネル８の先端面８Ａまでの距離Ｄ２が約８mm、あるいは約１０mmのどちらかにしかならない。そのため、前記壁面設置用部材７は、前記化粧プレート５とセットにして選択しなければならない。
【０００８】
　ここで、例えば、前記壁３から前記化粧パネル８の先端面８Ａまでの距離Ｄ２が約８mmになる壁面設置用部材７を用いて前記直列ユニット１を設置した場合を考えると、前記標準型の化粧プレート５を被せれば、図２０に示したように、化粧パネル８と化粧プレート５の境目に段差が生じない。ところが、前記標準型ではなく、突出量Ｔ１が１０mmのワイド型化粧プレートを被せると、図２１に示すように、前記化粧パネル８と化粧プレート５の境目に段差ができてしまう。このとき、前記境目に隙間ができると、室内の埃や水分が壁の内部空間に進入しやすくなる。
【０００９】
　そのため、前記直列ユニット１に標準型化粧プレートに合わせた壁面設置用部材７が取り付けられており、前記化粧プレート５がワイド型である場合には、前記壁面設置用部材７をワイド型化粧プレートに対応した部材に付け替えるか、標準型の化粧プレート５を用意しなければならないという問題がある。
【考案の開示】
【考案が解決しようとする課題】
【００１０】
　本考案が解決しようとする問題点は、前記背景技術で説明したように、前記壁面接続用部材は、前記化粧プレートの規格（標準型、ワイド型）と併せて選択しなければならないので、多様性が低いという点である。
【００１１】
　本考案の目的は、直列ユニットを壁に設置するために用いる壁面設置用部材の多様性を高くすることが可能な技術を提供することにある。
【００１２】
　本考案の前記ならびにその他の目的と新規な特徴は、本明細書の記述及び添付図面によって明らかになるであろう。
【課題を解決するための手段】
【００１３】
　本発明は、導電性のシールドケースに、中心導体及び前記中心導体と同心的に設けられた外部導体を有する同軸ケーブル接続端子を複数個設けた直列ユニットと、前記直列ユニットを壁に設置するための壁面設置用部材からなり、前記同軸ケーブル接続端子は、壁に設置したときに前記壁から突出する受信機接続端子と前記壁の内部空間に位置する入出力端子からなる壁面設置用部材付き直列ユニットであって、前記直列ユニットは、前記受信機接続端子が設けられた面の端部側が開口し、前記受信機接続端子が設けられた面に沿った空間を有する開口部が、前記受信機接続端子の同心軸方向に沿って２段以上設けられており、前記壁面設置用部材は、前記直列ユニットの開口部に挿入する挿入部を有することを特徴とする。
【考案の効果】
【００１４】
　本考案の壁面設置用部材付き直列ユニットは、前記２段以上設けられた開口部のいずれかに前記壁面設置用部材の挿入部を挿入することで、前記直列ユニットの前記受信機接続端子が設けられた面と前記壁面設置用部材との相対的な位置関係を変えることができる。このとき、前記各開口部の形状が同一であれば、一つの壁面設置用部材で、前記受信機接続端子が設けられた面と前記壁面設置用部材の相対的な位置を変えられる。そのため、１組の直列ユニット及び壁面設置用部材で、例えば、標準型及びワイド型の２種類の規格の化粧プレートと組み合わせることができる。
【００１５】
　以下、本考案について、図面を参照して実施の形態（実施例）とともに詳細に説明する。
なお、実施例を説明するための全図において、同一機能を有するものは、同一符号を付け、その繰り返しの説明は省略する。
【考案を実施するための最良の形態】
【００１６】
　本考案の直列ユニットでは、前記受信機接続端子が設けられた面の端部側が開口し、前記受信機接続端子が設けられた面に沿った空間を有する開口部が、前記受信機接続端子の同心軸方向に沿って２段以上設けられており、前記壁面設置用部材に設けた挿入部を前記各開口部のいずれかに挿入することで、化粧プレートとの組み合わせの多様化を実現する。
【実施例】
【００１７】
　図１乃至図６は、本考案による一実施例の壁面設置用部材付き直列ユニットの概略構成を示す模式図であり、図１は正面図及び右側面図、図２（ａ）は直列ユニットの正面図及び右側面図、図２（ｂ）は図２（ａ）の正面図に対する裏面図、図３（ａ）は直列ユニットの特徴を説明するための部分拡大図、図３（ｂ）は図２（ａ）の正面図に対する上面図、図４は組み立て方法を説明するための正面図及び右側面図、図５及び図６は作用を説明するための部分拡大図である。なお、図１，図２（ａ），図４の各図では、左側の図が正面図であるとする。また、図３（ｂ）の上面図では、受信機接続端子が紙面上方になるように向きを変えて示している。
図１乃至図６の各図において、１は直列ユニット、１０１はシールドケース、１０２ａ，１０２ｂは受信機接続端子、１０３ａ，１０３ｂは入出力端子、１０４はフィルタースイッチ、１０５は開口部、１０５ａは第１開口部、１０５ｂは第２開口部、２は壁面設置用部材、２０１は壁面設置用部材の挿入部である。
【００１８】
　本実施例の壁面設置用部材付き直列ユニットは、図１に示すように、導電性のシールドケース１０１に、中心導体及び前記中心導体と同心的に設けられた外部導体を有する同軸ケーブル接続端子１０２ａ，１０２ｂ，１０３ａ，１０３ｂを設けた直列ユニット１と、前記直列ユニット１を壁に取り付けるための壁面設置用部材２とにより構成されている。
【００１９】
　このとき、前記直列ユニット１は、図２（ａ）及び図２（ｂ）に示すように、前記シールドケース１０１の第１の面１Ａ及び第２の面１Ｂのそれぞれに、前記同軸ケーブル接続端子が２つずつ設けられている。ここで、前記各同軸ケーブル接続端子１０２ａ，１０２ｂ，１０３ａ，１０３ｂの外部導体同士は、前記シールドケース１０１により電気的に接続されている。また、前記各同軸ケーブル接続端子１０２ａ，１０２ｂ，１０３ａ，１０３ｂの中心導体同士は、前記シールドケース１０１の内部空間（図示しない）に設けられたプリント回路板により電気的に接続されている。またこのとき、前記プリント回路板はフィルター回路を有し、前記シールドケース１０１の第１の面１Ａには、前記フィルター回路のオン／オフを切り替えるスイッチ（以下、フィルタースイッチ）１０４が設けられている。
【００２０】
　前記シールドケース１０１の第１の面１Ａに設けられた同軸ケーブル接続端子１０２ａ，１０２ｂは、前記直列ユニット１を室内の壁に設置したときに室内に突出する端子であり、前記室内に置かれたテレビ受像器等の受信機と同軸ケーブルで接続する端子である。以下、前記シールドケース１０１の第１の面１Ａに設けられた同軸ケーブル接続端子１０２ａ，１０２ｂを受信機接続端子と称する。
【００２１】
　また、前記シールドケース１０１の第２の面１Ｂに設けられた同軸ケーブル接続端子１０３ａ，１０３ｂは、前記直列ユニット１を壁に設置したときに壁の内部空間側に位置する端子であり、前記壁の内部空間等に敷設された同軸ケーブルを接続する端子である。以下、前記シールドケース１０１の第２の面１Ｂに設けられた同軸ケーブル接続端子１０３ａ，１０３ｂを入出力端子と称する。
【００２２】
　また、前記直列ユニット１の、前記壁面設置用部材２を取り付ける面には、図２（ａ）及び図２（ｂ）に示すように、前記第１の面１Ａの端部側が開口して前記第１の面１Ａに沿った空間を有する開口部１０５が設けられている。また、前記開口部１０５は、図３（ａ）及び図３（ｂ）に示すように、前記第１の面１Ａに設けられた前記受信機接続端子１０２ａ，１０２ｂの同心軸（中心軸）に沿った方向に２段設けられている。このとき、前記各開口部１０５ａ，１０５ｂの開口断面は、図３（ｂ）に示したように、同一形状になっている。またこのとき、前記各開口部１０５ａ，１０５ｂを区別するために、前記第１の面１Ａに近い方の開口部１０５ａを第１開口部と称し、遠い方の開口部１０５ｂを第２開口部と称する。
【００２３】
　またこのとき、前記第１開口部１０５ａと第２開口部１０５ｂの間隔Ｄ１を、図３（ａ）及び図３（ｂ）に示したように、前記各開口部１０５ａ，１０５ｂの、前記第１の面１Ａに近い端部間の距離とし、本実施例ではこの距離を約２mmとする。
【００２４】
　また、前記第１開口部１０５ａ及び第２開口部１０５ｂは、図３（ａ）及び図３（ｂ）に示したように、前記シールドケース１０１を直接加工して設けてもよいし、他の部材として形成した開口部材をシールドケースに取り付けてもよい。
【００２５】
　また、前記壁面設置用部材２には、図４に示すように、ネジや釘で壁に固定する固定部の一端に、前記直列ユニット１の前記開口部１０５ａ，１０５ｂに挿入可能な挿入部２０１が設けられている。前記直列ユニット１に前記壁面設置用部材２を取り付けるときには、前記壁面設置用部材２の挿入部２０１を、前記２段になった第１開口部１０５ａまたは第２開口部１０５ｂのどちらかに挿入する。このとき、前記直列ユニット１の上方側の壁面用設置部材２と下方側の壁面設置用部材２の各挿入部２０１は、同じ段の開口部に挿入する。すなわち、前記上方の壁面設置用部材２を第１開口部１０５ａに挿入した場合は、下方の壁面設置用部材２も第１開口部１０５ａに挿入する。
【００２６】
　このとき、前記壁面設置用部材２の挿入部２０１を前記直列ユニット１の第１開口部１０５ａ、すなわち前記第１の面１Ａに近い開口部に挿入すると、図５に示すように、前記受信機接続端子１０２ａの先端から前記壁面設置用部材２の壁面と接触させる面２０２までの距離Ｄ２は、例えば、約８mmになる。
【００２７】
　一方、前記壁面設置用部材２の挿入部２０１を前記直列ユニット１の第２開口部１０５ｂに挿入すると、図６に示すように、前記受信機接続端子１０２ａの先端から壁面設置用部材２の壁面と接触させる面２０２までの距離Ｄ２が広がる。このとき、図３（ａ）に示したように、前記第１開口部１０５ａと第２開口部１０５ｂの間隔が２mmであれば、前記距離Ｄ２は約１０mmに広がる。
【００２８】
　図７乃至図１３は、本実施例の壁面設置用部材付き直列ユニットの効果を説明するための模式図であり、図７は直列ユニットを壁に取り付ける工程の正面図、図８は図７のＡ−Ａ’線から見た右側面図、図９は壁に取り付けた後の状態を示す右側面図で壁面設置用部材を第１の開口部に挿入した場合の図、図１０は壁に取り付けた後の状態を示す右側面図で壁面設置用部材を第２の開口部に挿入した場合の図、図１１は化粧プレートを被せた状態の正面図、図１２は図１１のＢ−Ｂ’線で見た右側面図で標準型化粧プレートを被せた場合の図、図１３は図１１のＢ−Ｂ’線で見た右側面図でワイド型化粧プレートを被せた場合の図である。なお、図１２及び図１３では、構成をわかりやすくするために、化粧プレートは直列ユニット上で切断した断面を示している。
【００２９】
　本実施例の壁面設置用部材付き直列ユニットを室内の壁に設置するときには、図７及び図８に示すように、前記壁３に内部空間３Ａと通じる開口部３Ｂを設けておき、前記直列ユニット１の入出力端子１０３ａ，１０３ｂが前記壁３の内部空間３Ａに入るように設置する。このとき、図示は省略するが、前記直列ユニット１を壁３等に設置するときには、設置する前に、前記壁３の内部空間３Ａに敷設された同軸ケーブルを壁の開口部３Ｂから引き出して前記入出力端子１０３ａ，１０３ｂと接続しておく。
【００３０】
　また、前記直列ユニット１を壁３に設置するときには、図８に示したように、前記シールドケース１０１の第１の面１Ａに化粧パネル４を取り付ける。このとき、前記化粧パネル４は、例えば、前記各受信機接続端子１０２ａ，１０２ｂ上及びその間のフィルタースイッチ１０４上のそれぞれに、独立して着脱可能な３つの化粧パネル４を取り付ける。
【００３１】
　またこのとき、前記化粧パネル４の先端面４Ａは、例えば、図９に示すように、前記受信機接続端子１０２ａ，１０２ｂの先端とほぼ同じ高さになる。そのため、本実施例の場合、前記壁面設置用部材２を前記直列ユニット１の第１開口部１０５ａに挿入していれば、図９に示したように、壁３から前記化粧パネル４の先端面４Ａまでの距離Ｄ２は約８mmになる。また、前記壁面設置用部材２を前記直列ユニット１の第２開口部１０５ｂに挿入していれば、図１０に示すように、壁３から前記化粧パネル４の先端面４Ａまでの距離Ｄ２は２mm広がって約１０mmになる。
【００３２】
　なお、本実施例では、図７及び図８に示したように、前記壁面設置用部材２を壁３に直接接触させて固定する例を示しているが、これに限らず、例えば、壁３に埋め込んだ箱状の部材（アウトレットボックス）に固定してもよい。
【００３３】
　前記壁面設置用部材２を用いて直列ユニット１を壁２に設置したら、図１１及び図１２に示すように、室内の埃や水分が壁３の内部空間３Ａに進入するのを防ぐための化粧プレート５（５ａ，５ｂ）を被せる。このとき、前記化粧プレート５には、前記化粧パネル４がはまる開口部が設けられている。ここで、前記化粧プレート５が標準型の場合、厚さＴ１、言い換えると壁３からの突出量が８mmである。そのため、前記標準型化粧プレート５を用いるときには、前記壁面設置用部材２の挿入部２０１を前記直列ユニット１の第１開口部１０５ａに挿入し、図９に示したように、壁３から前記化粧パネル４の先端面までの距離Ｄ２が約８mmになるようにして、前記直列ユニット１を壁３に設置する。そうすれば、前記化粧パネル４及び前記化粧プレート５の突出量Ｄ２，Ｔ１はともに約８mmになるので、図１２に示したように、前記化粧パネル４と化粧プレート５の境目に段差や隙間が生じることはない。
【００３４】
　一方、前記化粧プレート５がワイド型の場合、壁からの突出量（厚さ）Ｔ２が１０mmである。そのため、前記ワイド型化粧プレート５を用いるときには、前記壁面設置用部材２の挿入部２０１を前記直列ユニット１の第２開口部１０５ｂに挿入し、図１０に示したように、壁３から前記化粧パネル４の先端面までの距離Ｄ２が約１０mmになるようにして、前記直列ユニット１を壁３に設置する。そうすれば、前記化粧パネル４及び前記化粧プレート５の突出量Ｄ２，Ｔ２はともに約１０mmになるので、図１３に示したように、前記化粧パネル４と前記化粧プレート５の境目に段差や隙間が生じることはない。
【００３５】
　以上説明したように、本実施例の壁面設置用部材付き直列ユニットによれば、前記壁面設置用部材２の挿入部２０１を直列ユニット１の第１開口部１０５ａあるいは第２開口部１０５ｂのどちらに挿入するかにより、壁３から前記直列ユニット１の受信機接続端子１０２ａ，１０２ｂの先端までの距離Ｄ２を２通りに設定することができる。そのため、１組の直列ユニット１及び壁面設置用部材２で、標準型及びワイド型の両方の化粧プレート５に対応させることができる。すなわち、前記標準型及びワイド型のどちらの化粧プレート５を用いても、前記化粧パネル４と化粧プレート５の境目に段差や隙間が生じないようにすることができる。そのため、壁面設置用部材２や化粧プレート５の多様性が増す。
【００３６】
　図１４及び図１５は、本実施例の壁面設置用部材付き直列ユニットの他の効果を説明するための模式図であり、図１４は壁に設置したときの正面図、図１５は図１４のＣ−Ｃ’線から見た右側面図である。なお、図１５では、構成をわかりやすくするために、化粧プレートは直列ユニット上で切断した断面を示している。
【００３７】
　本実施例で直列ユニット１では、図８に示したように、前記各受信機接続端子１０２ａ，１０２ｂ上及びその間のフィルタースイッチ１０４上のそれぞれに、３つの化粧パネル４を独立して着脱することが可能である。そのため、前記フィルタースイッチ１０４上の化粧パネル４をはずせば、図１４及び図１５に示すように、開口部６０１が２つの化粧パネル６（６ａ，６ｂ）を被せることもできる。前記開口部６０１が２つの化粧パネル６は、例えば、ＡＣコンセントや照明のスイッチ等を壁に設置したときに用いられる。このようなＡＣコンセントや照明のスイッチ等を壁に設置する場合、前記壁面設置用部材の形状や壁への設置方法等は、前記直列ユニット１を設置するときに用いる壁面設置用部材２の形状や壁３への設置方法とよく似ている。そのため、前記ＡＣコンセント等で使用する部材と共用することができれば、多様性がさらに増す。
【００３８】
　図１６は、前記実施例の応用例を説明するための模式図であり、図１６（ａ）は直列ユニットの右側面図、図１６（ｂ）は裏面図である。なお、図１６（ａ）の右側面図及び図１６（ｂ）の裏面図は、図２（ａ）に示した正面図に対する右側面図及び裏面図である。
【００３９】
　前記実施例で示した直列ユニット１では、シールドケース１０１の第２の面１Ｂに設けられた入出力端子１０３ａ，１０３ｂは、前記シールドケース１０１に固定されていたが、前記入出力端子１０３ａ，１０３ｂは、図１６（ａ）及び図１６（ｂ）に示すように、同心軸（中心軸）と直行する方向を回転軸として９０度可動するようになっていてもよい。このように、前記入出力端子１０３ａ，１０３ｂが可動することで、同軸ケーブルを接続するときに、隣り合う端子や、前記シールドケース１０１のプリント回路板を収容した部分が邪魔にならないので接続しやすい。また、同軸ケーブルを接続した後は、前記入出力端子１０３ａ，１０３ｂを、図２（ａ）に示したような状態に戻しておけば、接続した同軸ケーブルが壁３の内部空間３Ａで邪魔になることはない。
【００４０】
　以上、本考案を、前記実施例に基づき具体的に説明したが、本考案は、前記実施例に限定されるものではなく、その要旨を逸脱しない範囲において、種々変更可能であることはもちろんである。
【００４１】
　例えば、前記実施例では、図８に示したように、前記直列ユニット１の第１の面１Ａに、３つの独立して着脱可能な化粧パネル４を取り付ける例を示したが、これに限らず、図１８に示したように、一体型の化粧パネル８を取り付けてもよいことは言うまでもない。また、例えば、前記直列ユニット１の内部構造や内蔵するプリント回路板の構成等は、従来から用いられている直列ユニットと同様の構成であればよい。
【図面の簡単な説明】
【００４２】
【図１】本考案による一実施例の壁面設置用部材付き直列ユニットの概略構成を示す模式図であり、正面図及び右側面図である。
【図２】本考案による一実施例の壁面設置用部材付き直列ユニットの概略構成を示す模式図であり、図２（ａ）は直列ユニットの正面図及び右側面図、図２（ｂ）は裏面図である。
【図３】本考案による一実施例の壁面設置用部材付き直列ユニットの概略構成を示す模式図であり、図３（ａ）は直列ユニットの特徴を示す部分拡大図、図３（ｂ）は直列ユニットの上面図である。
【図４】本考案による一実施例の壁面設置用部材付き直列ユニットの概略構成を示す模式図であり、組み立て方法を説明するための正面図及び右側面図である。
【図５】本考案による一実施例の壁面設置用部材付き直列ユニットの概略構成を示す模式図であり、作用を説明するための図である。
【図６】本考案による一実施例の壁面設置用部材付き直列ユニットの概略構成を示す模式図であり、作用を説明するための図である。
【図７】本実施例の壁面設置用部材付き直列ユニットの効果を説明するための模式図であり、壁に取り付ける工程の正面図である。
【図８】本実施例の壁面設置用部材付き直列ユニットの効果を説明するための模式図であり、図７のＡ−Ａ’線で見た右側面図である。
【図９】本実施例の壁面設置用部材付き直列ユニットの効果を説明するための模式図であり、壁に取り付けた後の状態を示す右側面図で壁面設置用部材を第１の開口部に挿入した場合の図である。
【図１０】本実施例の壁面設置用部材付き直列ユニットの効果を説明するための模式図であり、壁に取り付けた後の状態を示す右側面図で壁面設置用部材を第２の開口部に挿入した場合の図である。
【図１１】本実施例の壁面設置用部材付き直列ユニットの効果を説明するための模式図であり、化粧プレートを被せた状態の正面図である。
【図１２】本実施例の壁面設置用部材付き直列ユニットの効果を説明するための模式図であり、図１１のＢ−Ｂ’線で見た右側面図で標準型化粧プレートを被せた場合の図である。
【図１３】本実施例の壁面設置用部材付き直列ユニットの効果を説明するための模式図であり、図１１のＢ−Ｂ’線で見た右側面図でワイド型化粧プレートを被せた場合の図である。
【図１４】本実施例の壁面設置用部材付き直列ユニットの他の効果を説明するための模式図であり、壁に設置したときの正面図である。
【図１５】本実施例の壁面設置用部材付き直列ユニットの他の効果を説明するための模式図であり、図１４のＣ−Ｃ’線から見た右側面図である。
【図１６】前記実施例の応用例を説明するための模式図であり、図１６（ａ）は直列ユニットの右側面図、図１６（ｂ）は裏面図である。
【図１７】従来の直列ユニットの設置方法を説明するための正面図である。
【図１８】従来の直列ユニットの設置方法を説明するための右側面図である。
【図１９】従来の直列ユニットを壁に取り付けた状態の右側面図である。
【図２０】化粧パネルを取り付けた状態の右側面図である。
【図２１】従来の直列ユニットの課題を説明するための右側面図である。
【符号の説明】
【００４３】
　１…直列ユニット
　１０１…シールドケース
　１０２ａ，１０２ｂ…受信機接続端子
　１０３ａ，１０３ｂ…入出力端子
　１０４…フィルタースイッチ
　１０５ａ…第１開口部
　１０５ｂ…第２開口部
　２…壁面設置用部材
　２０１…壁面設置用部材の挿入部
　３…壁
　３Ａ…壁の内部空間
　３Ｂ…壁の開口部
　４…化粧パネル
　５，５ａ，５ｂ…化粧プレート
　６，６ａ，６ｂ…開口部が２つの化粧プレート
　７…従来の壁面設置用部材
　８…一体型の化粧パネル
【図１】
0003099572.tif 000003
【図２】
0003099572.tif 000004
【図３】
0003099572.tif 000005
【図４】
0003099572.tif 000006
【図５】
0003099572.tif 000007
【図６】
0003099572.tif 000008
【図７】
0003099572.tif 000009
【図８】
0003099572.tif 000010
【図９】
0003099572.tif 000011
【図１０】
0003099572.tif 000012
【図１１】
0003099572.tif 000013
【図１２】
0003099572.tif 000014
【図１３】
0003099572.tif 000015
【図１４】
0003099572.tif 000016
【図１５】
0003099572.tif 000017
【図１６】
0003099572.tif 000018
【図１７】
0003099572.tif 000019
【図１８】
0003099572.tif 000020
【図１９】
0003099572.tif 000021
【図２０】
0003099572.tif 000022
【図２１】
0003099572.tif 000023